(57)【要約】      （修正有）【課題】マルチ画面表示機能を持つ受信機において、それぞれの画面の選局を容易にする。【解決手段】マルチ画面表示装置Ａは、テレビ放送を受信するアンテナ１と、番組を選局するチューナ３と、映像情報信号と番組情報信号とを分離する分離部と、分離された映像情報信号の処理を行なう映像処理部５と、映像処理が行なわれた番組の映像に関して、ＥＰＧで選択することで複数の番組を表示させる処理を行なうマルチ画面処理部１５と、それをマルチ画面表示する表示部１７と、を有している。マルチ画面処理部１５と関連して、マルチ画面の処理に関する情報を保存する記憶部１５ａが設けられている。映像処理が行なわれた番組の映像に関するＥＰＧでの選択は、分離された番組情報を抽出する番組情報抽出部７からの出力を受けて、ＥＰＧのＯＳＤ表示を行なう番組情報表示部１１における表示をＧＵＩとして、番組を選択する選択部２１により行なわれる。【選択図】図３
2007150580.tif 000002
【特許請求の範囲】
【請求項１】
放送番組を選局するチューナと、放送内容に関する信号処理を行なう信号処理部と、電子番組表を作成する番組情報表示処理部と、複数の放送内容を表示することができるマルチ画面表示部と、を有するマルチ画面表示装置であって、
前記電子番組表をインターフェイスとして複数の番組を選択する選択部と、
該選択部により選択された番組の放送内容を前記表示部に表示させる処理を行なうマルチ画面処理部と
を備えるマルチ画面表示装置。
【請求項２】
外部入力情報を受け付ける外部入力部と、外部入力情報に関する信号処理を行なう信号処理部と、外部入力情報からコンテンツ情報を抽出するコンテンツ情報抽出部と、外部入力に基づく複数のコンテンツ表示を行なうことができるマルチ画面表示部と、を有するマルチ画面表示装置であって、
前記コンテンツ情報の複数表示に基づいて表示させたい複数のコンテンツを選択する選択部と、
該選択部により選択されたコンテンツ内容を前記表示部に表示させる処理を行なうマルチ画面処理部と
を備えるマルチ画面表示装置。
【請求項３】
前記選択部における選択操作において、インターネットからの放送情報又はコンテンツ情報を参照可能とする番組情報処理部を有することを特徴とする請求項１又は２に記載のマルチ画面表示装置。
【請求項４】
マルチ画面の処理に関する情報を保存する第１の記憶部を有し、前記マルチ画面表示部において前記記憶部における記憶内容に基づいて複数のコンテンツ表示を行なうことを特徴とする請求項１から３までのいずれか１項に記載のマルチ画面表示装置。
【請求項５】
選択されたマルチ画面のそれぞれの番組を識別する情報を保存していく第２の記憶部を有することを特徴とする請求項１から４までのいずれか１項に記載のマルチ画面表示装置。
【請求項６】
前記選択部におけるマルチ画面の選択数が予め設定された画面数を越えた場合にその旨を警告する警告表示部を有することを特徴とする請求項１から５までのいずれか１項に記載のマルチ画面表示装置。
【請求項７】
前記電子番組表又は前記コンテンツ表示画面に、前記マルチ画面数に関する表示を行なうことを特徴とする請求項１から６までのいずれか１項に記載のマルチ画面表示装置。
【請求項８】
前記電子番組表又は前記コンテンツ表示画面に、前記マルチ画面に表示されている内容に関する情報を表示することを特徴とする請求項１から７までのいずれか１項に記載のマルチ画面表示装置。
【発明の詳細な説明】
【技術分野】
【０００１】
本発明は、マルチ画面表示装置に関し、特に、ＥＰＧ（電子番組表）を利用した画面表示技術に関する。
【背景技術】
【０００２】
表示装置の大画面化に伴い、複数の映像信号を受信し、それぞれの映像信号から取り出した映像を複数の領域に分割された画面の各領域表示するマルチ画面表示機能が利用されるようになってきている。
【０００３】
マルチ画面表示機能を持つテレビ受信機では、それぞれの画面の選局を行う際には、操作対象をそれぞれの画面に設定し、その後に例えばリモコン装置の選局キーを用いて選局を行なっていた。
【０００４】
例えば、デジタル放送においては、映像や音声データと共に、番組名、開始・終了時刻、出演者、番組内容等の情報を含んだＥＰＧデータという形で配信されている。デジタル放送受信端末では、受信したＴＳの中から取り出したＥＰＧデータに基づいて、番組ガイドを表示させることができる。さらに、番組ガイドから所望の番組を選択することにより選局を行うこともできる（電子番組表示装置に関する技術：特許文献１参照）。
【０００５】
【特許文献１】特開平11-215444号公報
【発明の開示】
【発明が解決しようとする課題】
【０００６】
上記マルチ画面表示技術において、マルチ画面のうちのそれぞれの画面の選局を行う際に、上記方法では操作手順が多く面倒であるという問題がある。例えば、マルチ画面表示において、それぞれの画面の選局を行う際に、リモコン装置の上下キー又は数字キーで操作することになるが、その際に、遷移先の番組情報を推測することは難しいため、マルチ画面のうちから所望の番組の表示を見つけることができないという問題がある。
【０００７】
また、上記特許文献１に記載の番組ガイドは、単一画面の選局にしか対応しておらず、複数領域に分割された画面の各領域に個別の映像を表示させるマルチ画面表示においては、各画面に対してそれぞれ選局を行わなければならず、非常に面倒であった。
【０００８】
本発明は、マルチ画面表示機能を持つ受信機において、それぞれの画面の選局を容易にすることを目的とする。
【課題を解決するための手段】
【０００９】
本発明の一観点によれば、放送番組を選局するチューナと、放送内容に関する信号処理を行なう信号処理部と、電子番組表を作成する番組情報表示処理部と、複数の放送内容を表示することができるマルチ画面表示部と、を有するマルチ画面表示装置であって、前記電子番組表をインターフェイスとして複数の番組を選択する選択部と、該選択部により選択された番組の放送内容を前記表示部に表示させる処理を行なうマルチ画面処理部と、を備えるマルチ画面表示装置が提供される。
【００１０】
また、外部入力情報を受け付ける外部入力部と、外部入力情報に関する信号処理を行なう信号処理部と、外部入力情報からコンテンツ情報を抽出するコンテンツ情報抽出部と、外部入力に基づく複数のコンテンツ表示を行なうことができるマルチ画面表示部と、を有するマルチ画面表示装置であって、前記コンテンツ情報の複数表示に基づいて表示させたい複数のコンテンツを選択する選択部と、該選択部により選択されたコンテンツ内容を前記表示部に表示させる処理を行なうマルチ画面処理部と、を備えるマルチ画面表示装置が提供される。
【００１１】
前記選択部における選択操作において、インターネットからの放送情報又はコンテンツ情報を参照可能とする番組情報処理部を有することが好ましい。これにより、番組の情報をより広範囲から取得して選択の際に参照することができる。マルチ画面の処理に関する情報を保存する第１の記憶部を有し、前記マルチ画面表示部において前記記憶部における記憶内容に基づいて複数のコンテンツ表示を行なうことが好ましい。これにより、次回の表示において素早くマルチ表示をすることが可能になる。また、選択されたマルチ画面のそれぞれの番組を識別する情報を保存していく第２の記憶部を有することが好ましい。これにより、複数の番組等をマルチ表示させる際に、複数の選択番組を覚えておくことができる。
【発明の効果】
【００１２】
本発明によれば、マルチ画面表示装置において、視聴したい番組が複数ある場合に、追加の選局を迅速かつ簡単に行うことが出来るという利点がある。また、一度選曲した番組の組み合わせを保存しておくことで、次回からマルチ画面表示に関する操作をより簡単に行なうことが可能である。
【発明を実施するための最良の形態】
【００１３】
以下、本発明の実施の形態によるマルチ画面表示技術について図面を参照しながら説明を行なう。図３は、本発明の第１の実施の形態によるマルチ画面表示装置の一構成例を示す機能ブロック図である。図３に示すように、マルチ画面表示装置Ａは、テレビ放送を受信するアンテナ１と、テレビ放送の番組を選局するチューナ３と、図示しないが映像情報信号と番組情報信号とを分離する分離部と、分離部により分離された映像情報信号に関してデコードを含む映像処理を行なう映像処理部５と、映像処理が行なわれた番組の映像に関して、ＥＰＧで選択することで複数の画面に複数の番組を表示させる処理を行なうマルチ画面処理部１５と、マルチ画面処理部１５により処理された情報に基づいてマルチ画面表示を行なうことができる表示部１７と、を有している。マルチ画面処理部１５と関連して、マルチ画面の処理に関する情報を保存する記憶部１５ａが設けられている。記憶部１５ａにおいて、複数の番組が選択された旨とその番組の識別情報（チャネル等）を記憶するようにしても良い。映像処理が行なわれた番組の映像に関するＥＰＧでの選択は、図示しない分離部により分離された番組情報を抽出する番組情報抽出部７からの出力を受けて番組情報に基づくＥＰＧのＯＳＤ表示を行なう番組情報表示部１１における表示をＧＵＩとして、マルチ画面に表示したい番組を選択する選択部２１により行なわれる。
【００１４】
尚、マルチ視聴したい番組を選択する際におけるオプション機能として、図に破線で示される機能ブロックを設けても良い。このオプション機能は、ハードディスクレコーダー等、設けられている外部入力端子からのコンテンツ情報に関する信号を処理する外部入力部２７と、これを番組内容と番組情報とに分離し、前者を映像処理部５に、後者をコンテンツ情報抽出部２３に送り、コンテンツ情報抽出部２３の出力を受けてコンテンツ情報の表示制御を行なうコンテンツ情報表示部２５と、により構成されている。コンテンツ情報表示部２５からの出力に基づいて、選択部２１においてどの番組を表示するかを決定して、マルチ画面表示を行うことも可能である。
【００１５】
図１は、本発明の第１の実施の形態によるマルチ画面表示技術の処理の流れを示すフローチャート図である。図１に示すように、まず、ステップＳ１において表示画面に一般的なＥＰＧ表示を行なう。次いで、ステップＳ２において、Ｎ＝現在の画面数として設定しておき、ステップＳ３においてＥＰＧ上における番組選択処理を行なう。次いで、現在の画面数Ｎに“１”を追加し、ステップＳ５においてＮがシステムにおける最大表示画面数以上であるか否かを確認する。越えていれば（ＹＥＳ）、ステップＳ７に進み、越えていなければ（ＮＯ）ステップＳ６において、決定キーが押されるのを待つ。決定キーがある時間範囲内に押されなければ（ＮＯ）、ステップＳ３に戻る。決定キーの押圧を確認すると（ＹＥＳ）、ステップＳ７に進む。ステップＳ７において、ＥＧＰを終了し、ステップＳ８においてＮ画面の表示を行なう。
【００１６】
図２は、番組の選択操作と番組の選択解除操作を行なう場合の処理の流れを示すフローチャート図である。図２に示すように、まず、ステップＳ１１において、ＥＰＧ表示を行なう。この際の現在の画面数をＮ（例えば２）とする。次いで、ステップＳ１２において、番組選択操作を行うか否かを決める。操作を行なう場合には（ＹＥＳ）、ステップＳ１３に進み、画面数Ｎ（２）が設定の最大値ＭＡＸ（例えば２または４などに設定されている。）を越えているか否かを判定する。Ｎが設定数未満である場合には（ＮＯ）ステップＳ１４において番組を選択し、Ｎに１をプラスする。次いで、ステップＳ１５においてステップＳ１４までの処理の決定を行い（ＹＥＳ）、ステップＳ１６においてＥＰＧの表示を終了し、Ｎ画面表示を行なう（ステップＳ１７）。ステップＳ１３においてＮが設定の最大値ＭＡＸに達している場合には（例えば、Ｎが２で設定数も２の場合、ＹＥＳ）、ステップＳ１５に進み、番組をこれ以上選択できないので、その旨の警告を表示する。ここで、警告を表示した後、ステップＳ１６でＥＰＧを終了させてもよいし、番組選択（解除）画面Ｓ１２（Ｓ１８）に戻ってもよい。ステップＳ１２において番組選択操作を行なわない場合には（ＮＯ）、ステップＳ１８に進み、番組選択解除操作を行なうか否かを判断する。行なわない場合には（ＮＯ）、ステップＳ１５に進む。行なう場合には（ＹＥＳ）、ステップＳ１９に進み、Ｎが１よりも小さいか否かを判定し、１を越えていれば（ＮＯ）ステップＳ２０に進み番組選択解除処理を行ないＮから１を減算し、ステップＳ１５に進む。１であれば（ＹＥＳ）、そのままステップＳ１５に進み、これ以上番組設定数を解除できない旨の警告を表示する。
【００１７】
以上の処理により、表示画面数を設定限界値までの間において任意に変更する処理を行なうことができる。
【００１８】
図５から図８までは、本実施の形態によるＥＰＧ画面による選択と表示の様子を示す図である。図５に示すように、ＥＰＧ画面１００において、現在、地上デジタル放送に関する番組表が表示されている。縦軸に番組１２１（チャネル番号）が、横軸に時間帯に関する表示１１０が行なわれる。視聴者はこの表において、視聴したい番組をリモコン装置などから選択してその領域にチェックを行ない、視聴決定操作を行なうことにより、その領域に記載されている番組を視聴することができる。尚、一般的には、十字キーと選択キーとを有し、方向キーである十字キーによりカーソル（図の手のマーク）を移動し、選局キーで選択し、キャンセルキーで選択解除（キャンセル）を行ない、決定キーでマルチ表示の決定を行なう。「決定キーを押す」等のタイミングを規定しておくことにより、選択したチャンネル全てをマルチ画面表示することができるようにすることができる。この際、選択するとチェックボックスに印が入るようにしたり、選択したチャンネル又は番組が色づけされるようにしたりするなど、選択されたことが視聴者によって確認しやすいような表示がなされるのが好ましい。
【００１９】
図５に示すように、ＥＰＧ画面１００において、まず、チャネル１４１とチャネル１４３を選択し保存１５５を押すと、チャネル１４１と１４３とが選択された状態が保存される。この場合に、現在のチャンネル選択状況をマルチ画面の処理に関する情報を保存する記憶部１５ａにチャネル１４１と１４３とが選択された状態を保存しておき、次にマルチ画面表示指令があった場合に、その保存したチャンネル選択状況を読み出して、それぞれの画面の選局を自動的に行うことができる。一度選曲した組み合わせを保存することができ、次回からさらにすばやくその組み合わせのマルチ画面を起動することができる。尚、クリア１５７を押すと、選択された番組の保存を解除することもできる。
【００２０】
この際、符号１５１、１５３に示すように、ＥＰＧ画面１００において選択された番組数に応じて、上限を超えない限り、マルチ表示を行なうことができる。その下の領域に、マルチ画面の番組の詳細を表示すると便利である。図８（Ａ）が通常の一画面選択の際の表示画面の様子を示す図であり、一画面４０１が表示されている。図８（Ｂ）が２画面表示の様子を示す図であり、２画面４０３、４０５が表示されている。
【００２１】
次に、図６に示すように、ＥＰＧ画面２００において、番組表２１０のチャネル２１１、２１３、２１５、２１７を選択すると、符号２２１、２２３、２２５、２２７のように、４画面に分割された様子が表示され、さらに分割表示された番組の情報も表示される。図８（Ｄ）に示すように、表示画面に２つのマルチ表示４１５，４１７、４２１、４２３を表示させることができる。尚、表示の順番は、例えば図６のＥＰＧ画面において選択した順番に、表示画面に表示させるようにしても良い。図８（Ｃ）は、例えば３画面表示４０７、４１１、４１３である。もちろん、表示のレイアウトは上記の例に限定されるものではなく、所望のレイアウトを行えるようにすることができる。
【００２２】
図７は、図５に示すＥＰＧ表示において、さらに別の番組を表示しようとした場合に、番組選択数が、マルチ画面表示最大数を超えた場合の表示例を示す図である。このＥＰＧ表示３００においては、番組表３１０の４画面表示（３２１，３２３，３２５，３２７）の場合の選択番組３１１、３１３、３１５、３１７の次に別番組を選択しようとすると、符号３３１の表示がなされ、これ以上番組を選択できないことがわかる。この表示３３１により、ユーザはマルチ画面表示数が限界になっていることを知ることができる。
【００２３】
尚、この際にＥＰＧ以外に外部入力などを選択することも可能である。地上デジタル放送、ＢＳ放送、ＣＳ放送を混在させることも可能である。
【００２４】
また、選択番組数がマルチ画面表示最大数と等しくなったときに、自動的にＥＰＧ画面表示からマルチ画面表示に切り替えてもよい。
【００２５】
さらに、図９に示すように、受信機の制限（地上デジタル放送は２画面５２１、５２３までしか表示できない等）を超える場合にも、表示画面５００において、表示できない旨を知らせる表示５３１が表示されるように構成されていてもよい。この表示５３１により、ユーザは、追加選択しようとした番組が実際には選択できないことを知ることができる（装置の故障などとの識別も可能である）。その時点で選択できない番組がどの番組であるかを視覚的に認識可能なように、例えば、視聴できない番組には予め異なる色を付して区別できるようにしておくのが好ましい。
【００２６】
次に、本発明の第２の実施の形態によるマルチ画面表示技術について図面を参照しながら説明を行なう。図４は、本実施の形態によるマルチ画面表示装置の一構成例を示す機能ブロック図であり、図３に対応する図である。図４に示すように、本実施の形態においては、マルチ画面表示装置Ｂは、テレビ放送を受信するアンテナ３１と、テレビ放送の番組を選局するチューナ３３と、図示しないが映像情報信号と番組情報信号とを分離する分離部と、分離部により分離された映像情報信号に関してデコードを含む映像処理を行なう映像処理部３５と、映像処理が行なわれた番組の映像に関して、ＥＰＧで選択することで複数の画面に複数の番組を表示させる処理を行なうマルチ画面処理部３７と、マルチ画面処理部３７により処理された情報に基づいてマルチ画面表示を行なうことができる表示部４１と、を有している。マルチ画面処理部３７と関連して、マルチ画面の処理に関する情報を保存する記憶部３７ａが設けられている。映像処理が行なわれた番組の映像に関するＥＰＧでの選択は、図示しない分離部により分離された番組情報を抽出する番組情報抽出部４３からの出力を受けて番組情報に基づくＥＰＧのＯＳＤ表示を行なう番組情報表示部４５における表示をＧＵＩとして、マルチ画面に表示したい番組を選択する選択部４７により行なわれる。さらに、マルチ視聴したい番組を選択する際におけるオプション機能として、図に破線で示される機能ブロックを設けても良い。このオプション機能は、ハードディスクレコーダー設けられている外部入力端子からのコンテンツ情報に関する信号を処理する外部入力部６１と、これを番組内容と番組情報とに分離し、前者を映像処理部３５に、後者をコンテンツ情報抽出部５１に送り、コンテンツ情報抽出部５１の出力を受けてコンテンツ情報の表示制御を行なうコンテンツ情報表示部５３と、により構成されている。コンテンツ情報表示部５３からの出力に基づいて、選択部４７においてどの番組を表示するかを決定して、マルチ画面表示を行うことも可能である。さらに、本実施の形態においては、インターネット６３から取得した番組情報を処理する番組情報処理部５７から、番組情報（ＥＰＧから得られる情報とは異なる情報、例えば視聴率ランキング等のリアルタイムな情報など）を取得し、その情報をもとに、それぞれの画面の選局を自動的に行うこともできる。
【００２７】
以上に説明したように、本発明の実施の形態によれば、ＥＰＧを見ながら、もしくは、保存内容により、簡単な操作で全ての画面を選曲することができる。マルチ画面表示機能と電子番組表（ＥＰＧ）表示機能を持つ受信端末において、複数の所望の番組を効率的に選択・視聴することができるようにする。ＥＰＧ画面から、複数の番組を選択可能にし、選択されたそれぞれの番組をマルチ画面表示する。同様の手順で、１画面視聴中の裏番組表画面からでも、選択された番組をマルチ画面表示できるようにする。また、一度選んだ複数の番組の組み合わせを保存しておき、次回からさらにすばやくその組み合わせのマルチ画面を表示できるようにする。さらに、通信から番組情報を取得し、その情報に基づいたマルチ画面を表示することができる。
【産業上の利用可能性】
【００２８】
本発明は、マルチ画面表示装置に利用可能である。
【図面の簡単な説明】
【００２９】
【図１】本発明の第１の実施の形態によるマルチ画面表示技術の処理の流れを示すフローチャート図である。
【図２】番組の選択操作と番組の選択解除操作を行なう場合の処理の流れを示すフローチャート図である。
【図３】本発明の第１の実施の形態によるマルチ画面表示装置の一構成例を示す機能ブロック図である。
【図４】本発明の第２の実施の形態によるマルチ画面表示装置の一構成例を示す機能ブロック図であり、図３に対応する図である。
【図５】本実施の形態によるＥＰＧ画面による選択と表示の様子を示す図である。
【図６】本実施の形態によるＥＰＧ画面による選択と表示の様子を示す図である。
【図７】本実施の形態によるＥＰＧ画面による選択と表示の様子を示す図である。
【図８】本実施の形態によるＥＰＧ画面による選択と表示の様子を示す図である。
【図９】受信機のマルチ表示画面数の制限を超える場合における表示画面における表示の様子を示す図である。
【符号の説明】
【００３０】
Ａ…マルチ画面表示装置、１…アンテナ、３…チューナ、５…映像処理部、１５…マルチ画面処理部、１５ａ…記憶部、１７…表示部、２１…選択部。
【図１】
2007150580.tif 000003
【図２】
2007150580.tif 000004
【図３】
2007150580.tif 000005
【図４】
2007150580.tif 000006
【図５】
2007150580.tif 000007
【図６】
2007150580.tif 000008
【図７】
2007150580.tif 000009
【図８】
2007150580.tif 000010
【図９】
2007150580.tif 000011